(57)【要約】【課題】簡単な構成で腓骨筋群の筋力強化に用い得る腓骨筋群のトレーニング器具を提供する。【解決手段】腓骨筋群のトレーニング器具１は、足が載せられる足載置部材１０と、足載置部材１０の下面に配置され、地面に当接して足載置部材を支持する支持部材２１、２２と、を備える。支持部材２１、２２は足載置部材１０に足が載せられた際に両踝を結ぶ線の垂線に対し、足の前方内側に向けて傾斜した直線上に配置され、載せられた足の内反及び外反に従って足載置部材１０が傾斜する。【選択図】図１
2011206214.tif 000002
【特許請求の範囲】
【請求項１】
足が載せられる足載置部材と、
前記足載置部材の下面に配置され、地面に当接して前記足載置部材を支持する支持部材と、を備え、
前記支持部材は前記足載置部材に足が載せられた際に両踝を結ぶ線の垂線に対し、足の前方内側に向けて傾斜した直線上に配置され、
載せられた足の内反及び外反に従って前記足載置部材が傾斜する、
ことを特徴とする腓骨筋群のトレーニング器具。
【請求項２】
前記支持部材は載せられた足の踵骨と第１中足骨の種子骨とを結ぶ線に平行な前記直線上に配置されていることを特徴とする請求項１に記載の腓骨筋群のトレーニング器具。
【請求項３】
前記支持部材は足の前方内側に向けて１４〜１８°傾斜した前記直線上に配置されていることを特徴とする請求項１又は２に記載の腓骨筋群のトレーニング器具。
【請求項４】
前記支持部材は両踝を結ぶ線の中心部を通る前記直線上に配置されていることを特徴とする請求項１乃至３のいずれか一項に記載の腓骨筋群のトレーニング器具。
【請求項５】
前記足載置部材が足の内反に従って傾いて地面に当接したとき、前記足載置部材の上面と地面とのなす角度が３０°以下であることを特徴とする請求項１乃至４のいずれか一項に記載の腓骨筋群のトレーニング器具。
【請求項６】
前記支持部材が弾力性部材から構成されている、ことを特徴とする請求項１乃至５のいずれか一項に記載の腓骨筋群のトレーニング器具。
【請求項７】
地面に当接する箇所が球面或いは曲面で構成された２つの前記支持部材を備える、ことを特徴とする請求項１乃至６のいずれか一項に記載の腓骨筋群のトレーニング器具。
【請求項８】
前記足載置部材の下面には複数の支持部材接続部を有し、
２つの前記支持部材はそれぞれ任意の前記支持部材接続部に着脱自在に取り付けられる、ことを特徴とする請求項７に記載の腓骨筋群のトレーニング器具。
【請求項９】
前記足載置部材からの２つの前記支持部材の突出高さがそれぞれ異なることを特徴とする請求項７又は８に記載の腓骨筋群のトレーニング器具。
【請求項１０】
前記足載置部材は、履物を載置するための足置き台であることを特徴とする請求項１乃至９のいずれか一項に記載の腓骨筋群のトレーニング器具。
【請求項１１】
前記足載置部材は、一体的に形成された履物の底部であることを特徴とする請求項１乃至９のいずれか一項に記載の腓骨筋群のトレーニング器具。
【発明の詳細な説明】
【技術分野】
【０００１】
本発明は、腓骨筋群のトレーニング器具に関する。
【背景技術】
【０００２】
足関節内反捻挫は、最も発生頻度の高いスポーツ外傷の一つである。足関節内反捻挫とは、腓骨下関節に内反（或いは回外）が求められて、前距腓靱帯や踵腓靱帯の損傷が起こることである。スポーツをする多くの者はこの足関節内反捻挫に対する認識が極めて低く、スポーツをする限り運命のようについて回る疾患と捉えている。しかし、一度足関節内反捻挫を受傷し、靱帯の修復が不十分なまま捻挫を繰り返すと、足関節不安定性を導くという事実がある。その結果、慢性捻挫や変形性足関節症に陥るおそれがある。このため、足関節内反捻挫が生じないよう予防することが重要である。
【０００３】
足関節内反捻挫の予防には、主要な外がえし筋である長腓骨筋、短腓骨筋（以下、長腓骨筋、短腓骨筋を総称して腓骨筋群ともいう）の機能の向上が必要とされる。このため、腓骨筋群の筋力や筋活動の増加を促進し得るトレーニングを行うことが有効と考えられる。
【０００４】
腓骨筋群のトレーニングを行い得るものとして、非特許文献１に、靴型装具に似た装置が開示されている。この装置は、立位で腓骨筋群を収縮させることで、足関節・足部が内反位におかれることに対抗し、中間位に保持させるトレーニングを行うものである。
【先行技術文献】
【非特許文献】
【０００５】
【非特許文献１】Ｆｏｒｅｓｔｉｅｒ，Ｎ．＆  Ｔｏｓｃｈｉ，Ｐ．，Ｔｈｅ  ｅｆｆｅｃｔｓ  ｏｆ  ａｎ  ａｎｋｌｅ  ｄｅｓｔａｂｉｌｉｚａｔｉｏｎ  ｄｅｖｉｃｅ  ｏｎ  ｍｕｓｃｕｌａｒ  ａｃｔｉｖｉｔｙ  ｗｈｉｌｅ  ｗａｌｋｉｎｇ，Ｉｎｔ  Ｊ  Ｓｐｏｒｔｓ  Ｍｅｄ，（２００５），２６，（６），４６４−４７０
【発明の概要】
【発明が解決しようとする課題】
【０００６】
非特許文献１に開示の装置は足関節内反捻挫の予防に資する腓骨筋群を効率的に強化するには不十分であった。
【０００７】
本発明は、上記事項に鑑みてなされたものであり、その目的とするところは、簡単な構成で腓骨筋群の筋力強化に用い得る腓骨筋群のトレーニング器具を提供することにある。
【課題を解決するための手段】
【０００８】
本発明に係る腓骨筋群のトレーニング器具は、
足が載せられる足載置部材と、
前記足載置部材の下面に配置され、地面に当接して前記足載置部材を支持する支持部材と、を備え、
前記支持部材は前記足載置部材に足が載せられた際に両踝を結ぶ線の垂線に対し、足の前方内側に向けて傾斜した直線上に配置され、
載せられた足の内反及び外反に従って前記足載置部材が傾斜する、
ことを特徴とする。
【０００９】
また、前記支持部材は載せられた足の踵骨と第１中足骨の種子骨とを結ぶ線に平行な前記直線上に配置されていることが好ましい。
【００１０】
また、前記支持部材は足の前方内側に向けて１４〜１８°傾斜した前記直線上に配置されていることが好ましい。
【００１１】
また、前記支持部材は両踝を結ぶ線の中心部を通る前記直線上に配置されていることが好ましい。
【００１２】
また、前記足載置部材が足の内反に従って傾いて地面に当接したとき、前記足載置部材の上面と地面とのなす角度が３０°以下であることが好ましい。
【００１３】
また、前記支持部材が弾力性部材から構成されていてもよい。
【００１４】
また、地面に当接する箇所が球面或いは曲面で構成された２つの前記支持部材を備えていてもよい。
【００１５】
また、前記足載置部材の下面には複数の支持部材接続部を有し、
２つの前記支持部材はそれぞれ任意の前記支持部材接続部に着脱自在に取り付けられる構成でもよい。
【００１６】
また、前記足載置部材からの２つの前記支持部材の突出高さがそれぞれ異なる構成であってもよい。
【００１７】
また、前記足載置部材は、履物を載置するための足置き台であってもよい。
【００１８】
また、前記足載置部材は、一体的に形成された履物の底部であってもよい。
【発明の効果】
【００１９】
本発明に係る腓骨筋群のトレーニング器具は、足が載せられる足載置部材と、足載置部材の下面に配置され、地面に当接して足載置部材を支持する支持部材とを備えている。そして、支持部材は足載置部材に足が載せられた際に両踝を結ぶ線の垂線に対し、足の前方内側に向けて傾斜した直線上に配置されている。このため、載せられた足の内反及び外反に従って足載置部材が傾斜するので、靱帯を保護する長腓骨筋及び短腓骨筋を効果的に鍛えることができ、内反捻挫の予防につながる。
【図面の簡単な説明】
【００２０】
【図１】本発明に係る腓骨筋群のトレーニング器具の斜視図である。
【図２】本発明に係る腓骨筋群のトレーニング器具の側面図である。
【図３】本発明に係る腓骨筋群のトレーニング器具の底面図である。
【図４】本発明に係る腓骨筋群のトレーニング器具の足載置部材を足に装着した状態を示す斜視図である。
【図５】本発明に係る本発明に係る腓骨筋群のトレーニング器具の足載置部材に足を載せた状態を示す平面図である。
【図６】足の骨の平面図である。
【図７】本発明に係る腓骨筋群のトレーニング器具を地面に置いた状態を示す図である。
【図８】本発明に係る腓骨筋群のトレーニング器具を地面に置き、足載置部材の小指側が地面に当接した状態を示す図である。
【図９】本発明の他の実施の形態に係る腓骨筋群のトレーニング器具の底面図である。
【図１０】本発明の他の実施の形態に係る腓骨筋群のトレーニング器具の底面図である。
【図１１】本発明の他の実施の形態に係る腓骨筋群のトレーニング器具の側面図である。
【図１２】本発明の他の実施の形態に係る腓骨筋群のトレーニング器具の側面図である。
【図１３】本発明の他の実施の形態に係る腓骨筋群のトレーニング器具の側面図である。
【図１４】本発明の他の実施の形態に係る腓骨筋群のトレーニング器具の側面図である。
【図１５】本発明の他の実施の形態に係る腓骨筋群のトレーニング器具の底面図である。
【図１６】本発明の他の実施の形態に係る腓骨筋群のトレーニング器具の側面図である。
【図１７】本発明の他の実施の形態に係る腓骨筋群のトレーニング器具の底面図である。
【図１８】実施例に用いた腓骨筋群のトレーニング器具の側面寸法図である。
【図１９】実施例に用いた腓骨筋群のトレーニング器具の底面寸法図である。
【図２０】実施例において腓骨筋群のトレーニング器具を装着して足踏みを行った際の筋活動の結果を示すグラフである。
【図２１】実施例においてトレーニング器具Ａを装着して足踏みをした前後の周波数解析の結果を示すグラフである。
【発明を実施するための形態】
【００２１】
以下、図を参照しつつ、腓骨筋群のトレーニング器具について説明する。なお、以下の説明では、人の右足に装着される右足用の腓骨筋群のトレーニング器具について説明し、左足用については右足用と対称の構成であるため説明を省略する。
【００２２】
腓骨筋群のトレーニング器具１は、図１〜図３に示すように、足載置部材１０と、支持部材２１、２２と、連結部材３１、３２と、固定部材４１、４２とを備えている。腓骨筋群のトレーニング器具１は、図４に示すように足に装着され、長腓骨筋及び短腓骨筋のトレーニングに用いられる器具である。
【００２３】
足載置部材１０は足が載置される平板状の部材である。足載置部材１０の上面には、載置された足を固定するための固定部材４１、４２が設けられている。２つの支持部材２１、２２は、足載置部材１０の下面に連結部材３１、３２を介して設けられており、それぞれ地面に当接して足載置部材１０を支持する。
【００２４】
支持部材２１、２２はそれぞれ球体から構成されている。支持部材２１、２２は、足載置部材１０の爪先側から踵側にかけて直線上に配置されており、支持部材２１が爪先側に、一方の支持部材２２は踵側にそれぞれ配置されている。
【００２５】
支持部材２１、２２の配置について、図５及び図６を参照して詳細に説明する。図５は、足載置部材１０に足５０を載せた状態を示す平面図である。図５中、支持部材２１、２２を結ぶ直線をＡ−Ａ’で示している。また、Ｂ−Ｂ’は、足載置部材１０に足５０が載せられた際に、足５０の両踝を結ぶ直線を示している。そして、Ｃ−Ｃ’は、Ｂ−Ｂ’の垂線を示している。
【００２６】
また、図６は足の骨の平面図であり、踵骨と第１中足骨の種子骨とを結ぶ直線Ｄ−Ｄ’を示している。Ｄ−Ｄ’は距骨下関節の回旋の運動軸であり、これを軸に内反及び外反が行われる。
【００２７】
図５に示すように、支持部材２１、２２は、平面視で両踵を結ぶＢ−Ｂ’の垂線Ｃ−Ｃ’に対して、足の内側前方を向くようにθ１ほど傾いた直線Ａ−Ａ’上に配置されている。
【００２８】
Ａ−Ａ’とＣ−Ｃ’とのなす角度θ１は１４〜１８°であることが好ましく、１５〜１７°であることがより好ましく、１６°であることが更に好ましい。このような角度をもって支持部材２１、２２が直線上に配置されると、図６に示す距骨下関節の回旋の運動軸Ｄ−Ｄ’に平面視で大凡平行になる。距骨下関節の回旋の運動軸に沿うので、内反捻挫時の足の動きを再現でき、腓骨筋群を効果的に鍛えることができる。
【００２９】
また、Ａ−Ａ’は両踵の中点を通ることが好ましい。この場合、図６に示す距骨下関節の回旋の運動軸Ｄ−Ｄ’に平面視でほぼ一致することになる。従って、よりスムーズに足の内反或いは外反を促し、トレーニングが行いやすくなる。
【００３０】
続いて、腓骨筋群のトレーニング器具１を地面６０に置いた状態を図７に示す。なお、図７は図５におけるＡ−Ａ’方向に爪先側から見た状態を示している。また、固定部材４１、４２は省略している。
【００３１】
腓骨筋群のトレーニング器具１を地面６０に水平に置いた場合、支持部材２１、２２が地面に当接し、また、支持部材２１、２２が直線上に配置された球体であるため、安定性はなく自立し難い。このため、支持部材２１、２２が転動し、矢印で示すように、足の内反及び外反に従って傾斜することになる。
【００３２】
腓骨筋群のトレーニング器具１を地面６０に置き、足載置部材１０の小指側が地面に当接した状態を図８に示す。これは、右足の内反に従って足載置部材１０が傾き、足載置部材１０の小指側が地面に当接した状態となる。この際に地面６０と足載置部材１０の上面とのなす角度θ２が３０°以下となるよう、支持部材２１、２２の大きさや、足載置部材１０の下面からの突出長さ等が設定されていることが好ましい。
【００３３】
これは、日本整形外科学会による足部内返しの参考可動域が３０°であること、足関節内反捻挫は過度の内反が強制されたときにおこると考えられるからである。したがって、足載置部材１０の小指側が地面に当接し、地面６０と足載置部材１０の上面とのなす角度が３０°以下となるよう設定されていれば、足部内返しの可動域を超えず、腓骨筋群のトレーニング器具１を装着してトレーニングする際に生じる怪我を未然に防止することができる。
【００３４】
腓骨筋群のトレーニング器具１を足に装着し、足踏み、歩行、ランニングなどの運動を行うことで、内反捻挫或いは外反捻挫を引き起こす足関節の動きが再現される。このようなトレーニングを行うことより、前距腓靱帯や踵腓靱帯を保護する長腓骨筋及び短腓骨筋の筋活動が増加するので、長腓骨筋及び短腓骨筋が効果的に鍛えられ、内反捻挫或いは外反捻挫の予防につながる。
【００３５】
なお、連結部材３１、３２を設けて足載置部材１０に支持部材２１、２２が配置された形態について説明したが、支持部材２１、２２の大きさや形状等によって、足載置部材１０に直接支持部材２１、２２が設置された形態であってもよい。
【００３６】
また、支持部材２１、２２は弾力性を有する素材から構成されていてもよい。硬質の支持部材２１、２２であると、支持部材２１、２２と地面との接触面積が非常に小さく、立位状態でのバランスが取り難くなる。弾力性を有する支持部材２１、２２の場合には、撓みにより地面との接触面積が大きくなり、バランスを取りやすくなる。
【００３７】
また、足載置部材１０は履物を載置するための足置き台であってもよく、履物の底部に一体的に形成された形態であってもよい。
【００３８】
また、支持部材２１、２２は、図５に示すＡ−Ａ’の線上、即ち、距骨下関節の回旋の運動軸上から離れていてもよい。例えば、図９に示すように、支持部材２１、２２を結ぶ線が、Ａ−Ａ’よりも小指側に寄せて配置されていてもよい。このように、支持部材２１、２２が小指側に寄って配置されていると、腓骨筋群のトレーニング器具１を装着した者は立位の状態においてバランスを取り難くなる。このため、トレーニングの難易度が高くなり、より腓骨筋群のトレーニング効果が高まるため、上達した者にはこのような配置にしてトレーニングを行うとよい。一方、逆に支持部材２１、２２が親指側に寄せて配置されている場合、立位の状態でバランスが取りやすくなり、難易度が下がる。
【００３９】
また、支持部材２１、２２がそれぞれ足載置部材１０の任意の位置に取り付けられる構成にしてもよい。例えば、図１０に示す構成にしてもよい。足載置部材１０の下面の爪先側には、支持部材２１に接続された連結部材３１を挿入可能な孔１１が複数設けられている。また、足載置部材１０の下面の踵側には、支持部材２２に接続された連結部材３２を挿入可能な孔１２が複数設けられている。連結部材３１及び連結部材３２をそれぞれ任意の孔１１、１２に挿入することにより、適宜、トレーニングを行う者のレベルに応じた仕様にすることができる。
【００４０】
また、支持部材２１、２２の足載置部材１０からの突出高さを異ならせた構成にしてもよい。例えば、図１１に示すように、支持部材２２の足載置部材１０からの突出高さを、支持部材２１の突出高さよりも高くすると、立位状態においてバランスを取り難くなる。このため、トレーニングの難易度が高くなり、より腓骨筋群のトレーニング効果が高まる。
【００４１】
一方で、図１２に示すように、支持部材２２の足載置部材１０からの突出高さを、支持部材２１の突出高さよりも低くすると、立位状態においてバランスを取り易くなる。このため、トレーニング初心者にも扱いやすくなる。
【００４２】
また、球体の支持部材２１、２２について説明したが、図１３の側面図に示すように、主に地面に当接する箇所が球面である半球体の支持部材２１、２２でもよい。
【００４３】
また、支持部材２１、２２は、曲面を備えるものであってもよい。例えば、図１４の側面図及び図１５の底面図に示すように、地面に当接し転動する面が曲面で構成された支持部材２１、２２であっても、上記と同様のトレーニング効果が得られる。
【００４４】
また、上記では２つの支持部材２１、２２が足載置部材１０の下面に配置されている例について説明したが、３つ以上の支持部材が直線上に配置されていても構わない。
【００４５】
また、支持部材は一つでもよい。例えば、図１６及び図１７に示すように、単一の円柱状の支持部材２７が足載置部材１０の爪先側から踵側にかけて設けられていてもよい。
【実施例】
【００４６】
上述した第１の実施の形態と同様の腓骨筋群のトレーニング器具を製作し、被験者に腓骨筋群のトレーニング器具を装着させてトレーニングを行わせ、筋活動と周波数解析により、効果を検証した。
【００４７】
被験者は、足関節内反捻挫の既往がなく、足関節・足部に愁訴をもたない男性８名、女性９名とした。男性の年齢（平均±ＳＤ）は２２．０±１．２歳、身長は１７３．６±４．０ｃｍ、体重は６２．６±２．８ｋｇである。女性の年齢（平均±ＳＤ）は２１．５±１．０歳、身長は１５８．１±７．４ｃｍ、体重は５２．４±７．１ｋｇである。
【００４８】
腓骨筋群のトレーニング器具は、図１８及び図１９に示すように、１５ｍｍ厚の木製の板７１を足載置部材とし、足載置部材の下面に支持部材としてゴルフボール７２、７３を２つ設置した。ボルト７４、７５を連結部材として用いてゴルフボール７２、７３を木製の板７１に固定した。木製の板に足を載せた際に足の踵骨部及び母趾球部が位置する箇所にゴルフボール７２、７３をそれぞれ設置した。詳細な寸法等については図１８及び図１９を参照する。なお、腓骨筋群のトレーニング器具は右足用及び左足用をそれぞれ作成した。以下、これをトレーニング器具Ａと記す。
【００４９】
また、参考例として、上記のトレーニング器具Ａに更に１つゴルフボールを設置した。追加したゴルフボールは足の小趾球の辺りに設けた。以下、これをトレーニング器具Ｂと記す。
【００５０】
トレーニング器具Ａ、トレーニング器具Ｂを被験者に装着させ、足踏み動作を行わせた。そして、足踏み動作中の筋活動、並びに、足踏み動作の前後で周波数解析を、以下のようにして行った。
【００５１】
足踏み動作中の筋活動は生波形から整流化した後、ＲＭＳ（Ｒｏｏｔ  Ｍｅａｎ  Ｓｑｕａｒｅ）に変換した。解析区間は１５０回の足踏み動作のうち、最初の１０回を用い、この１０回の平均値を使用した。各筋の活動量は、５秒間の最大等尺性収縮のうち、波形の安定した３秒間のＲＭＳを１００％として正規化した。
【００５２】
筋電図の記録にはＰｅｒｓｏｎａｌ−ＥＭＧ（有限会社  追坂電子機器）を使用した。
スキンピュア（日本光電工業株式会社）で皮膚表面を研磨し、アルコール綿で清拭した。筋電位の導出にはｂｌｕｅ  ｓｅｎｓｏｒ（Ａｍｕｂｕ  Ａ／Ｓ）を用い、双極誘導にて行った。電極はＰｅｒｒｏｔｏ（Ｐｅｒｏｔｔ，Ａ．，Ｄｅｌａｇｉ，Ｅ．Ｆ．，Ａｎａｔｏｍｉｃ  ｇｕｉｄｅ  ｆｏｒ  ｔｈｅ  ｅｌｅｃｔｒｏｍｙｏｇｒａｐｈｅｒ，３ｒｄ  Ｅｄｉ．，Ｃｈａｒｌｅｓ  Ｃ  Ｔｈｏｍａｓ  Ｐｕｂｌｉｓｈｅｒ，（１９９４），１５８−１６１）の方法に基づいて右足側の長腓骨筋（以下、ＰＬともいう（ＰＬ：Ｐｅｒｏｎｅｕｓ  Ｌｏｎｇｕｓ））、短腓骨筋（以下、ＰＢともいう（ＰＢ：Ｐｅｒｏｎｅｕｓ  Ｂｒｅｖｉｓ））の筋腹に貼付し、電極中心間距離は３０ｍｍとした。また、アース電極は右腕の肘頭に接地した。導出した筋電位をアンプで増幅し、サンプリング周波数は１，０００Ｈｚとし、低域遮断フィルターを１０Ｈｚで用い、パソコンに取り込んだ。
【００５３】
筋電図の周波数は、徒手筋力検査法のテスト肢位（Ｎｏｒｍａｌ）に準じて、長腓骨筋、短腓骨筋の最大等尺性収縮を行い、筋活動を記録した。このとき得られた波形を高速フーリエ変換により解析し、足踏み動作を行う前後の平均周波数を求めた。
【００５４】
統計学的検定にはエクセルアドインソフトＳｔａｔｃｅｌ２（オーエムエス出版）を用いた。参考例及び実施例における足踏み動作中の筋活動の差、筋電図の周波数の差の検定には対応のあるｔ検定、ウイルコクソン符号付順位和検定を用いた。いずれも危険率５％未満を有意とした。
【００５５】
まず、トレーニング器具Ｂを各被験者の両足に装着させ、被験者に２Ｈｚのゆっくりしたリズムに合わせて足踏み動作を１５０回（７５秒間）行わせた。
【００５６】
続いて、トレーニング器具Ａを各被験者に装着し、上記参考例と同様、被験者に２Ｈｚのゆっくりしたリズムに合わせて足踏み動作を１５０回（７５秒間）行わせた。
【００５７】
筋活動の結果を図２０に示す。１０回の足踏み動作を行わせたときの筋活動は、ＰＬにおいて、実施例では５２．０±２０．２％、参考例では２０．８±３．２％であった。実施例ではＰＬの活動が有意に増加（ｐ＜０．０５）していることがわかる。
【００５８】
また、ＰＢにおいて、実施例では７３．８±１９．４％、参考例では２４．８±７．１％であった。ＰＢにおいても、実施例では活動が有意に増加（ｐ＜０．０５）していることがわかる。
【００５９】
ＰＬについては、参考例と比較して実施例で約２．５倍、ＰＢについては、２．９８倍と、大幅に活動量が増加している。腓骨筋群に対して十分高い筋活動を得られることが確認された。
【００６０】
また、トレーニング器具Ａを装着して足踏みをした前後の周波数解析の結果を図２１に示す。
【００６１】
周波数解析において、ＰＬでは足踏み動作前が１９６．５±３８．９Ｈｚ、足踏み動作後が２０９．１±４０．５Ｈｚであり、トレーニング器具Ａを用いて足踏み動作を行うことにより、周波数は有意に上昇した（ｐ＜０．０１）。
【００６２】
また、ＰＢについても、足踏み動作前が１２９．８±２６．３Ｈｚ、足踏み動作後が１４５．４±３１．５Ｈｚであり、トレーニング器具Ａを用いて足踏み動作を行うことにより、周波数は有意に上昇した（ｐ＜０．０１）。
【００６３】
周波数は筋疲労の影響などを定量化する際の指標として用いられ、筋疲労により周波数は徐波化を示すことが報告されている（木村貞治、理学療法における筋電図学的評価の意義、理学療法、（２００３）、２０、（１１）、１１６１−１１６８）。しかしながら、本実施例ではＰＬ、ＰＢともに足踏み動作を行った後に有意に周波数が上昇したことから、足踏み動作によりＰＬ、ＰＢに筋疲労は生じなかったものと考えられる。
【００６４】
周波数の上昇は運動単位の上昇とα運動ニューロンの放電頻度の上昇を示すと述べられている（加藤浩、藤野英次郎、上島隆秀、城石晴子、時枝美貴、高杉紳一朗、林和夫、随意収縮強度別（％ＭＶＣ）による表面筋電図周波数特性、理学療法学、（１９９８），２５，（７），４２５−４３１）。このことから、足踏み動作を行うことにより運動単位が増員し、α運動ニューロンの放電頻度が上昇したと考えられる。
【００６５】
更に、運動単位の増員とα運動ニューロンの放電頻度の上昇は筋力値の増加要因であるため、トレーニング器具Ａを用いた足踏み動作を行った直後では腓骨筋群の筋力発揮が促通されている可能性がある。
【産業上の利用可能性】
【００６６】
以上、説明したように、腓骨筋群のトレーニング器具を足に装着してトレーニングを行うことで、長腓骨筋や短腓骨筋の筋力を強化でき、足関節内反捻挫の予防やリハビリに役立つ。このように、足関節内反捻挫の予防やリハビリ等、トレーニング器具として利用可能である。
【符号の説明】
【００６７】
１    腓骨筋群のトレーニング器具
１０    足載置部材
１１    挿入孔
１２    挿入孔
２１    支持部材
２２    支持部材
２３    支持部材
３１    連結部材
３２    連結部材
４１    固定部材
４２    固定部材
５０    足
６０    地面
７１    木製の板
７２    ゴルフボール
７３    ゴルフボール
７４    ボルト
７５    ボルト
【図１】
2011206214.tif 000003
【図２】
2011206214.tif 000004
【図３】
2011206214.tif 000005
【図４】
2011206214.tif 000006
【図５】
2011206214.tif 000007
【図６】
2011206214.tif 000008
【図７】
2011206214.tif 000009
【図８】
2011206214.tif 000010
【図９】
2011206214.tif 000011
【図１０】
2011206214.tif 000012
【図１１】
2011206214.tif 000013
【図１２】
2011206214.tif 000014
【図１３】
2011206214.tif 000015
【図１４】
2011206214.tif 000016
【図１５】
2011206214.tif 000017
【図１６】
2011206214.tif 000018
【図１７】
2011206214.tif 000019
【図１８】
2011206214.tif 000020
【図１９】
2011206214.tif 000021
【図２０】
2011206214.tif 000022
【図２１】
2011206214.tif 000023